(57)【特許請求の範囲】
【請求項１】
外面に被接触端子が形成された携帯電子機器が載置される置き台であって、
筐体と、
前記筐体の外部に形成され前記携帯電子機器が載置される載置部と、
前記載置部に載置された状態における前記携帯電子機器の前記被接触端子に対向する位置に形成される端子開口と、
前記筐体の内部に配設され前記端子開口を介して前記筐体の外部に突出可能に構成される接触端子を有する端子部材と、
前記接触端子を前記筐体の外部に突出させる側に向かって付勢する端子付勢手段と、
前記端子付勢手段より付勢された前記接触端子における前記外部への突出を規制する第１状態及び前記規制を解除する第２状態を有する規制部材と、を備え、
前記規制部材は、
前記筐体に形成された突出部開口から前記筐体の外部に突出するように配置されると共に前記載置部に載置された前記携帯電子機器に押圧されて前記筐体の内部に移動される突出部と、前記突出部の移動に連動して同移動方向へ移動されると共に前記端子部材に当接可能に構成される当接部と、を有し、
前記載置部に前記携帯電子機器が載置された場合、
前記規制部材は前記第１状態から前記第２状態に移行され、
前記当接部は、前記端子部材における所定位置に前記端子付勢手段による付勢力に対抗して当接することで前記接触端子における前記外部への突出を規制する第１位置から、前記突出部の移動に連動して前記接触端子における前記規制を解除する第２位置に移動され、
前記端子部材は、前記第１位置に位置した前記当接部に当接される第１部位と、前記第２位置に位置した前記当接部に対向する第２部位と、を有する
置き台。
【請求項２】
外面に被接触端子が形成された携帯電子機器が載置される置き台であって、
筐体と、
前記筐体の外部に形成され前記携帯電子機器が載置される載置部と、
前記載置部に載置された状態における前記携帯電子機器の前記被接触端子に対向する位置に形成される端子開口と、
前記筐体の内部に配設され前記端子開口を介して前記筐体の外部に突出可能に構成される接触端子を有する端子部材と、
前記接触端子を前記筐体の外部に突出させる側に向かって付勢する端子付勢手段と、
前記端子付勢手段より付勢された前記接触端子における前記外部への突出を規制する第１状態及び前記規制を解除する第２状態を有する規制部材と、を備え、
前記規制部材は、
前記筐体に形成された突出部開口から前記筐体の外部に突出するように配置されると共に前記載置部に載置された前記携帯電子機器に押圧されて前記筐体の内部に移動される突出部と、前記突出部の移動に連動して同移動方向へ移動されると共に前記端子部材に当接可能に構成される当接部と、を有し、
前記載置部に前記携帯電子機器が載置された場合、
前記規制部材は前記第１状態から前記第２状態に移行され、
前記当接部は、前記端子部材における所定位置に前記端子付勢手段による付勢力に対抗して当接することで前記接触端子における前記外部への突出を規制する第１位置から、前記突出部の移動に連動して前記接触端子における前記規制を解除する第２位置に移動され、
前記端子部材は、前記第１位置に位置した前記当接部に当接される第１部位と、前記第２位置に位置した前記当接部に対向する第２部位と、を有し、
前記第２部位は、前記第１部位よりも前記載置部側と反対の側に位置するよう前記端子部材が屈曲されて形成される
置き台。
【請求項３】
前記当接部は、
前記第２位置において、前記端子部材に当接しないか又は前記第１位置における付勢力よりも弱い付勢力に対抗して前記端子部材に当接する
請求項１又は２に記載の置き台。
【請求項４】
前記突出部開口は、前記載置部における外縁近傍に形成され、
前記突出部における移動方向は、前記載置部に携帯電子機器が載置された状態における該携帯電子機器の厚さ方向に略直交する平面方向である
請求項１から３のいずれか１項に記載の置き台。
【請求項５】
前記規制部材は、前記突出部と前記当接部とを連結する連結部を有し、
前記連結部は、前記筐体の内部に前記筐体の外面を構成するケース部材における前記載置部を構成する部分の内面に沿って移動可能に配置される
請求項１から４のいずれか１項に記載の置き台。
【請求項６】
前記載置部における前記筐体の外部側で前記突出部と対向する位置に前記載置部の内側に向かって延設されると共に、前記載置部に載置された携帯電子機器を支持する第１支持部を有し、
前記突出部は、前記第１支持部が延設される方向と略平行な方向に移動される
請求項１から５のいずれか１項に記載の置き台。
【請求項７】
前記第１部位は、前記端子部材の前記当接部とは異なる
請求項１から６のいずれか１項に記載の置き台。
【発明の詳細な説明】
【技術分野】
【０００１】
本発明は、携帯電話機等の携帯電子機器における置き台に関する。
【背景技術】
【０００２】
従来、携帯電子機器の一例である携帯電話機は、所定の置き台に載置された状態で充電等がなされる。置き台には給電端子が配置され、携帯電話機を該携帯電話機の外面に配置された充電用端子が給電端子に接触するように載置することで充電がなされるよう構成される。ここで、置き台に配置される給電端子が常時外部に突出した状態である場合には、該給電端子に容易に触れることができるので、給電端子の変形やショートが生じる場合があった。
【０００３】
これに対し、携帯電話機の載置部に形成される押し部と、押し部に連結され回動軸を中心に回動する内部部材と、内部部材における押し部と反対側の端部に形成される端子とを有する置き台としての充電器が開示されている（特許文献１参照）。この充電器は、載置部に携帯電話機が載置されることで、押し部が充電器内部に押し入れられると共に内部部材が回転軸を中心に回転されて、内部部材における押し部と反対側の端部に形成された端子が充電器の内部から外部に突出するように構成される。
【特許文献１】特開２０００−１３４８０８号公報
【発明の開示】
【発明が解決しようとする課題】
【０００４】
特許文献１に開示された充電器は、該充電器の内部で回動軸を中心に内部部材を回動させることで端子を外部に突出させるという構成をとるため、内部に内部部材が回動する空間が必要となるので充電器が大型化するという問題があった。
【０００５】
本発明は、載置された携帯電子機器により移動される突出部を有する規制部材の平面移動を利用して筐体の内部に配置される接触端子を筐体の外部に突出させる置き台であって、大型化を抑制可能な置き台を提供することを目的とする。
【課題を解決するための手段】
【０００６】
本発明は、外面に被接触端子が形成された携帯電子機器が載置される置き台であって、筐体と、前記筐体の外部に形成され前記携帯電子機器が載置される載置部と、前記載置部に載置された状態における前記携帯電子機器の前記被接触端子に対向する位置に形成される端子開口と、前記筐体の内部に配設され前記端子開口を介して前記筐体の外部に突出可能に構成される接触端子を有する端子部材と、前記接触端子を前記筐体の外部に突出させる側に向かって付勢する端子付勢手段と、前記端子付勢手段より付勢された前記接触端子における前記外部への突出を規制する第１状態及び前記規制を解除する第２状態を有する規制部材と、を備え、前記規制部材は、前記筐体に形成された突出部開口から前記筐体の外部に突出するように配置されると共に前記載置部に載置された前記携帯電子機器に押圧されて前記筐体の内部に移動される突出部と、前記突出部の移動に連動して同移動方向へ移動されると共に前記端子部材に当接可能に構成される当接部と、を有し、前記載置部に前記携帯電子機器が載置された場合、前記規制部材は前記第１状態から前記第２状態に移行され、前記当接部は、前記端子部材における所定位置に前記端子付勢手段による付勢力に対抗して当接することで前記接触端子における前記外部への突出を規制する第１位置から、前記突出部の移動に連動して前記接触端子における前記規制が解除する第２位置に移動される置き台に関する。
【０００７】
また、前記当接部は、前記第２位置において、前記端子部材に当接しないか又は前記第１位置における付勢力よりも弱い付勢力に対抗して前記端子部材に当接することが好ましい。
【０００８】
また、前記突出部開口は、前記載置部における外縁近傍に形成され、前記突出部における移動方向は、前記載置部に携帯電子機器が載置された状態における該携帯電子機器の厚さ方向に略直交する平面方向であることが好ましい。
【０００９】
また、前記規制部材は、前記突出部と前記当接部とを連結する連結部を有し、前記連結部は、前記筐体の内部に前記筐体の外面を構成するケース部材における前記載置部を構成する部分の内面に沿って移動可能に配置されることが好ましい。
【００１０】
また、前記端子部材は、前記第１位置に位置した前記当接部に当接される第１部位と、前記第２位置に位置した前記当接部に対向する第２部位と、を有し、前記第２部位は、前記第１部位よりも前記載置部側と反対の側に位置するよう前記端子部材が屈曲されて形成されることが好ましい。
【００１１】
また、前記載置部における前記筐体の外部側で前記突出部と対向する位置に前記載置部の内側に向かって延設されると共に、前記載置部に載置された携帯電子機器を前記突出部と共に支持する第１支持部を有し、前記突出部は、前記第１支持部が延設される方向と略平行な方向に移動されることが好ましい。
【００１２】
また、前記突出部が前記突出部開口を介して前記筐体の外部に突出するよう付勢する突出部付勢手段と、前記載置部に載置された前記携帯電子機器における前記突出部に当接される一端側と反対の他端側を支持するように配置される第２支持部と、を有することが好ましい。
【発明の効果】
【００１３】
本発明によれば、載置された携帯電子機器により移動される突出部を有する規制部材の移動を利用して筐体の内部に配置される接触端子を筐体の外部に突出させる置き台であって、大型化を抑制可能な置き台を提供することができる。
【発明を実施するための最良の形態】
【００１４】
以下、図面を参照して本発明を実施するための最良の形態を説明する。なお、以下、携帯電子機器として携帯電話機について説明するが、本発明の携帯電子機器はこれに限定されるものではなく、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、置き台として充電用の置き台について説明するが、本発明の置き台はこれに限定されるものではなく、充電機能を有しないものであってもよい。
【００１５】
図１から図３により、置き台９００及び携帯電子機器としての携帯電話機１の基本構造及び基本動作について説明する。図１は、携帯電話機が載置された置き台を説明する図である。図２は、携帯電話機が載置されていない置き台の斜視図である。図３は、携帯電話機が載置される際における置き台を説明する図である。
【００１６】
図１に示すように、置き台９００は、携帯電話機１が載置可能に構成される。
置き台９００に載置される携帯電話機１は、操作部側筐体２と、表示部側筐体３と、連結部４とを有し、折り畳み可能に構成される。折り畳んだ状態における携帯電話機１は、矩形状になるよう構成される。携帯電話機１は、折り畳んだ状態で内面側に配置される不図示の操作ボタン群と、携帯電話機１の使用者が通話時に発した音声が入力される音声入力部と、各種情報を表示するためのメインディスプレイと、通話の相手側の音声を出力する音声出力部とを有する。また、携帯電話機１は、折り畳んだ状態で外面側に配置される外部機器（例えば、ホスト装置）と通信を行うためのインターフェースと、サイドキーと、充電をするための被接触端子としての充電端子とが形成される。充電端子は、操作部側筐体２における操作キー群等とは反対側の面であって、折り畳んだ状態において外面側に配置される面に形成される。
【００１７】
置き台９００は、該置き台９００の外形を構成する筐体８００を有する。筐体８００の外面における上面側には、携帯電話機１が載置可能な載置部７００が形成される。載置部７００に載置された状態における携帯電話機１は、コネクタ９９０に接続される不図示の充電用コードを介して供給される電力により充電される。
【００１８】
図２に示すように、載置部７００は、底面部７１０と、筐体８００における長手方向Ｘの一端側であるＸ１側に形成される第１保持部７３０と、長手方向Ｘの他端側であるＸ２側に形成される第２保持部７４０とを有して構成される。
【００１９】
第１保持部７３０は、載置部７００の長手方向ＸにおけるＸ１側に底面部７１０から立ち上がるように形成される壁状の部分である。第１保持部７３０における載置部７００側の側面は、携帯電話機１の外形に合わせた形状であるＵ字状に形成される。そして、第１保持部７３０の上部には、載置部７００の長手方向ＸにおけるＸ２側に突出する係合部７３０ａが配設される。この係合部７３０ａは、載置部７００に携帯電話機１が載置された場合、操作部側筐体２の長手方向Ｘ１側端部における操作ボタン群が配置される内面が当接されて、載置部７００に載置された携帯電話機１の長手方向Ｘ１側端部を支持するように形成されている。また、第１保持部７３０における載置部７００側の側面には、突出部開口７３１が形成される。突出部開口７３１は、筐体８００の内部に配置される突出部７３３が突出可能に形成される。
【００２０】
突出部７３３は、突出部開口７３１から突出可能であると共に、長手方向ＸにおけるＸ１側に移動可能に構成される。具体的には、図１又は図３に示すように、突出部７３３は、載置部７００に携帯電話機１が載置された場合、携帯電話機１の長手方向ＸにおけるＸ１側の端部により押圧されることにより、筐体８００の内部側であって長手方向ＸにおけるＸ１側に移動可能に構成される。
【００２１】
第２保持部７４０は、載置部７００の長手方向ＸにおけるＸ２側に底面部７１０から立ち上がるように形成される壁状の部分である。第２保持部７４０における載置部７００側の側面には、支持部開口７４１が形成される。支持部開口７４１は、筐体８００の内部に配置される支持部７４３が突出可能に形成される。そして、支持部７４３は、筐体８００内に配設されている後述の付勢部材（バネ部材１２０）によって支持部開口７４１から筐体８００の外部へ突出する方向へ付勢されている。
【００２２】
支持部７４３は、突出部７３３と対向して配置される。また、支持部７４３は、支持部開口７４１から突出可能であると共に、付勢手段の付勢力に抗して長手方向ＸにおけるＸ２側に移動可能に構成される。具体的には、支持部７４３は、載置部７００に携帯電話機１が載置された場合、筐体８００の内部側であって長手方向ＸにおけるＸ２側に移動可能に構成される。そして、支持部７４３は、付勢手段による付勢力によって支持部開口７４１から突出した部分が携帯電話機１に長手方向ＸにおけるＸ２側端面に形成された係合孔に長手方向Ｘで係合することとなり、突出部７３３及び係合部７３０ａと共に載置部７００に載置された携帯電話機１を保持する。
【００２３】
底面部７１０には、端子開口７２０ａ、７２０ｂが形成される。端子開口７２０ａ、７２０ｂは、載置部７００に載置された状態における携帯電話機１の外面に配置される不図示の被接触端子としての充電端子に対向する位置に形成される。端子開口７２０ａ、７２０ｂは、接触端子としての給電端子７２１ａ、７２１ｂが突出可能に形成される。ここで、給電端子７２１ａ、７２１ｂは、後述する端子部材３００ａ、３００ｂの一部である。また、給電端子７２１ａ、７２１ｂにおける一方の端子は、グランド端子として機能する。
【００２４】
給電端子７２１ａ、７２１ｂは、突出部７３３に連動して移動するよう構成される。具体的には、給電端子７２１ａ、７２１ｂは、突出部７３３が筐体８００の内部側（長手方向ＸのＸ１側）に移動されることで、端子開口７２０ａ、７２０ｂを介して筐体８００の内部から筐体８００の外部に突出されるよう構成される。具体的には、載置部７００に携帯電話機１を載置することで、給電端子７２１ａ、７２１ｂが端子開口７２０ａ、７２０ｂを介して底面部７１０から突出すると共に、該突出した給電端子７２１ａ、７２１ｂに不図示の充電端子が接触した状態となる。載置部７００に載置された携帯電話機１は、置き台９００により充電がなされる。
【００２５】
図４から図９により、置き台９００の構造について詳細に説明する。図４は、置き台の分解斜視図である。図５は、各種部材が組み込まれた状態における第１ケース部材の裏面側を説明する図である。図６は、図５における端子部材の配置状態を説明する図である。図７は、端子部材の形状を説明する図である。図８は、置き台の動作を説明する図である。図９は、置き台の動作を説明する図である。
【００２６】
図４に示すように、置き台９００は、筐体８００を構成する第１ケース部材８００Ａ及び第２ケース部材８００Ｂと、筐体８００の内部に配置される支持部材１００と、支持部付勢手段としてのバネ部材１２０と、規制部材２００と、突出部付勢手段としてのコイルバネ２５０と、端子部材３００ａ、３００ｂと、該端子部材３００ａ、３００ｂとが接続されてコネクタ９９０を介して供給される電力を端子部材に出力する電子部品等が実装された回路基板４００と、を有して構成される。
【００２７】
第１ケース部材８００Ａと第２ケース部材８００Ｂとは、互いの外縁が重なるように向き合わせた状態で接合される。第１ケース部材８００Ａと第２ケース部材８００Ｂとの間には、上述した支持部材１００と、バネ部材１２０と、規制部材２００と、コイルバネ２５０と、端子部材３００ａ、３００ｂと、回路基板４００とが所定の位置に組み込まれた状態で収納配置される。
【００２８】
第１ケース部材８００Ａの外面側には、載置部７００が形成される。また、筐体８００における上面側を構成する第１ケース部材８００Ａには、底面部７１０、第１保持部７３０、第２保持部７４０、端子開口７２０ａ、７２０ｂ、突出部開口７３１、支持部開口７４１が形成される。
【００２９】
支持部材１００は、支持部開口７４１から突出する支持部７４３を有して構成される。支持部材１００には、バネ部材１２０が取り付けられる。バネ部材１２０は、支持部７４３が支持部開口７４１を介して筐体８００の外部に突出する側に該支持部７４３を付勢する。つまり、バネ部材１２０は、支持部７４３を載置部７００側に向かう方向に付勢する。
【００３０】
規制部材２００は、当接部２２０ａ、２２０ｂと、突出部７３３と、連結部としての本体部２１０と、を有する。突出部７３３は、本体部２１０の長手方向Ｘにおける一方側Ｘ１に形成される。当接部２２０ａ、２２０ｂは、本体部２１０の長手方向Ｘにおける他端側Ｘ２に幅方向Ｙにおける両側に突出するように形成される。本体部２１０は、厚さの薄い直方体状であって、突出部７３３と当接部２２０ａ、２２０ｂとを連結する部材である。当接部２２０ａ、２２０ｂは、本体部２１０を介して突出部７３３と連結されるので、突出部７３３に連動して移動されるよう構成される。
【００３１】
また、規制部材２００は、給電端子７２１ａ、７２１ｂにおける端子開口７２０ａ、７２０ｂを介した外部への突出を規制する第１状態及び当該規制を解除する第２状態を有して、第１状態と第２状態との間で遷移可能に構成されている。規制部材２００は、載置部７００に携帯電話機１が載置されていない場合には第１状態であり、載置部７００に携帯電話機１が載置された場合には第２状態に移行されるよう構成される。
【００３２】
突出部７３３は、上述のように本体部２１０の長手方向Ｘにおける一端側Ｘ１に配設されて、長手方向Ｘにおける他端側Ｘ２側に突出する形状に形成される。突出部７３３は、上述のように突出部開口７３１から載置部７００側に突出するように配置される。
【００３３】
突出部７３３は、載置部７００に携帯電話機１が載置された場合、携帯電話機１における長手方向の一端側（Ｘ１側の端部）が当接すると共に、筐体８００の内部に押し入れられる部分である。突出部７３３は本体部２１０に固定（本体部２１０と一体に構成）されるので、該突出部７３３が筐体８００における内部側であるＸ１側に移動されることで、本体部２１０及び本体部２１０に固定（本体部２１０と一体に構成）される当接部２２０ａ、２２０ｂもＸ１側に移動される。詳細には、載置部７００の外縁を構成する第１保持部７３０に形成された突出部開口７３１から突出する突出部７３３は、載置部７００に載置された状態における携帯電話機１の厚さ方向と略直交する平面方向に移動可能に構成される。また、言い換えると、載置部７００における筐体８００の外部側で突出部７３３と対向した位置に第１支持部としての係合部７３０ａが載置部７００の内側に向かって延設されると共に、突出部７３３がこの係合部７３０ａが延設される方向と略平行な方向に移動可能に構成される。
【００３４】
本体部２１０は、幅方向Ｙにおける両外側に長手方向Ｘに延びるように形成される段部２３０ａ、２３０ｂと、幅方向Ｙにおける略中央であって長手方向ＸにおけるＸ１側に形成される長孔部２４０と、を有する。本体部２１０は、第１ケース部材８００Ａにおける載置部７００を構成する部分の内面に沿って移動可能に配置される。
【００３５】
段部２３０ａ、２３０ｂは、本体部２１０における幅方向Ｙの両外側に形成される。段部２３０ａ、２３０ｂにおける幅方向Ｙの両側面は、厚さ方向Ｚにおいて平面状に形成される。図５に示すように、段部２３０ａ、２３０ｂは、第１ケース部材８００Ａの内面に突出して形成されて長手方向Ｘに延設されるガイド部２３１ａ、２３１ｂの幅方向Ｙにおける内側面に当接するように配置される。規制部材２００が移動する場合、該規制部材２００は段部２３０ａ、２３０ｂに当接したガイド部２３１ａ、２３１ｂにより長手方向Ｘにガイドされて移動する。また、段部２３０ａ、２３０ｂは、図４における第２ケース部材８００Ｂの内面に突設された本体支持部２３３ａ、２３３ｂにより下面を支持される。
【００３６】
長孔部２４０は、Ｘ２側の内側面に長手方向Ｘに延びるように形成される棒状部２５３を有する。長孔部２４０には、突出部付勢手段としてのコイルバネ２５０が棒状部２５３に被挿されて配置される。更には、図５に示すように、規制部材２００が第１ケース部材８００Ａに組み込まれた状態で、長孔部２４０の長手方向ＸのＸ１側には第１ケース部材８００Ａの内面に突設された第１壁部２５１が挿入される。
【００３７】
コイルバネ２５０は、長手方向Ｘに伸縮可能な状態で長孔部２４０に収納配置される。具体的には、図５に示すように、コイルバネ２５０は、長手方向ＸにおけるＸ２側の端部側が棒状部２５３に被挿されると共に、Ｘ１側の端部が第１壁部２５１当接した状態で配置される。コイルバネ２５０は、弾力を有した状態で収納されるので、規制部材２００を長手方向ＸにおけるＸ２側に常時付勢する。詳細には、コイルバネ２５０は、突出部７３３を突出部開口７３１を介して筐体８００の外部に突出させる方向（長手方向ＸにおけるＸ２側）に付勢する。
【００３８】
当接部２２０ａ、２２０ｂは、本体部２１０の長手方向ＸにおけるＸ２側に、幅方向Ｙにおける両外側に突出して形成される。当接部２２０ａ、２２０ｂは、下面側からＸ２側の面が曲面であり、Ｘ１側の面が平面状にとなるよう形成される。当接部２２０ａ、２２０ｂは、曲面に形成された部分で端子部材３００ａ、３００ｂに当接する。
【００３９】
当接部２２０ａ、２２０ｂは、突出部７３３に連動して移動される。具体的には、当接部２２０ａ、２２０ｂは、突出部７３３の移動方向と略平行な方向に突出部７３３の移動距離と同じ距離だけ移動する。詳細には、当接部２２０ａ、２２０ｂは、載置部７００に載置された携帯電話機１により突出部７３３が筐体８００内部に押し込まれた方向と略平行な方向に、押し込まれた距離と同じ距離だけ移動される。
【００４０】
当接部２２０ａ、２２０ｂは、図８及び図９に示すように、厚さ方向Ｚにおいて端子部材３００ａ、３００ｂと載置部７００（後述の第１ケース部材８００Ａにおける載置部７００を構成する部分の内側面）との間に配置される。当接部２２０ａ、２２０ｂが長手方向Ｘに移動することで、該当接部２２０ａ、２２０ｂが端子部材３００ａ、３００ｂに当接する状態又は当接しない状態になるよう移行される。当接部２２０ａ、２２０ｂにおける移動による端子部材３００ａ、３００ｂとの当接状態を調整することで、付勢力による給電端子７２１ａ、７２１ｂの移動（筐体外部への突出）を調整する。
【００４１】
具体的には、当接部２２０ａ、２２０ｂは、後述するコイル部３３０ａ、３３０ｂにより加えられる給電端子７２１ａ、７２１ｂを外部に露出させる付勢力に対抗して端子部材３００ａ、３００ｂにおける第１部位３１０ａ、３１０ｂに当接する。載置部７００に携帯電話機１が載置されておらず突出部７３３が筐体８００内部に押し込まれていない場合には、図８にしめされるように、規制部材２００が第１状態に位置されて当接部２２０ａ、２２０ｂは、給電端子７２１ａ、７２１ｂにおける外部への突出を規制するため端子部材３００ａ、３００ｂにおける第１部位３１０ａ、３１０ｂに上記付勢力に対抗するように当接する。
【００４２】
図８及び図９に示すように、当接部２２０ａ、２２０ｂは、規制部材２００が第１状態から載置部７００に携帯電話機１が載置されて突出部７３３が筐体８００内部に押し込まれた場合に位置される第２状態に移行することで、突出部７３３に連動して長手方向ＸにおけるＸ１側に移動することにより、第１部位３１０ａ、３１０ｂに当接する第１位置（図８参照）から、給電端子７２１ａ、７２１ｂにおける外部への突出を規制しない第２位置（図９参照）に移動可能に構成される。当接部２２０ａ、２２０ｂは、第２位置において、端子部材３００ａ、３００ｂにおける第２部位３２０ａ、３２０ｂに対向する位置に配置される。当接部２２０ａ、２２０ｂは、第２位置において、端子部材３００ａ、３００ｂと離間して配置される。
【００４３】
端子部材３００ａ、３００ｂは、針金状の金属部材を屈曲させて形成される導電性の部材である。端子部材３００は、給電端子７２１ａ、７２１ｂと、端子付勢手段としてのコイル部３３０ａ、３３０ｂと、第１部位３１０ａ、３１０ｂと、第２部位３２０ａ、３２０ｂとを有する。なお、端子部材３００ａ、３００ｂのコイル部３３０ａ、３３０ｂよりも長手方向ＸにおけるＸ２側の端部は、第１ケース部材８００Ａの内面に取り付けられる回路基板４００に半田付け等により固定されて、回路基板４００上に実装されている電子部品と電気的に接続されている。
【００４４】
給電端子７２１ａ、７２１ｂは、端子部材３００ａ、３００ｂにおけるコイル部３３０ａ、３３０ｂ側と反対の端部側に形成される凸状の部分である。給電端子７２１ａ、７２１ｂは、端子部材３００ａ、３００ｂを凸状に屈曲させて形成される。給電端子７２１ａ、７２１ｂは、本体部２１０（規制部材２００）が移動する平面方向に交差する方向、具体的には、平面方向に略直交する方向に移動可能に構成される。給電端子７２１ａ、７２１ｂは、端子開口７２０ａ、７２０ｂを介して外部に突出可能に構成される。給電端子７２１ａ、７２１ｂは、コイル部３３０ａ、３３０ｂにより外部に突出する方向へ付勢される。
【００４５】
コイル部３３０ａ、３３０ｂは、端子部材３００ａ、３００ｂにおける一部を巻き回すことで形成される。コイル部３３０ａ、３３０ｂは、給電端子７２１ａ、７２１ｂを端子開口７２０ａ、７２０ｂを介して外部に突出させる側に付勢する。図６に示すように、コイル部３３０ａ、３３０ｂから延在する延在部３３２ａ、３３２ｂが第１ケース部材８００Ａに固定される回路基板４００に取り付けられることで、コイル部３３０ａ、３３０ｂは端子付勢手段として機能する。
【００４６】
コイル部３３０ａ、３３０ｂは、第１ケース部材８００Ａの内面に形成されたコイル収容部３３１ａ、３３１ｂに収容配置される。コイル部３３０ａ、３３０ｂがコイル収容部３３１ａ、３３１ｂに収容配置されることでコイル部３３０ａ、３３０ｂの移動が抑制される。これにより、給電端子７２１ａ、７２１ｂにおける移動の支点でもあるコイル部３３０ａ、３３０ｂが固定されるので、給電端子７２１ａ、７２１ｂの端子開口７２０ａ、７２０ｂを介した筐体外部への移動における正確性が向上する。なお、コイル部３３０ａ、３３０ｂは、ボックス形状に形成されたコイル収容部３３１ａ、３３１ｂに収容配置される構成としたが、この構成に限定されることなく、ボックス形状のコイル収容部３３１ａ、３３１ｂに代えて、平面方向の断面が略Ｌ字状に形成されるリブ部材を有するコイルガイド部を第１ケース部材８００Ａの内面に形成して、このコイルガイド部によってコイル部３３０ａ、３３０ｂの移動を抑制するように構成してもよい。
【００４７】
第１部位３１０ａ、３１０ｂは、給電端子７２１ａ、７２１ｂとコイル部３３０ａ、３３０ｂとの間であってコイル部３３０ａ、３３０ｂ側に形成される直線状の部分である。第１部位３１０ａ、３１０ｂは、第１位置に位置する当接部２２０ａ、２２０ｂに当接される部分である。第１部位３１０ａ、３１０ｂに当接した当接部２２０ａ、２２０ｂにより、コイル部３３０ａ、３３０ｂに付勢された給電端子７２１ａ、７２１ｂの外部への突出が規制される。
【００４８】
第２部位３２０ａ、３２０ｂは、給電端子７２１ａ、７２１ｂとコイル部３３０ａ、３３０ｂとの間であって給電端子７２１ａ、７２１ｂ側に形成される曲線状の部分である。第２部位３２０ａ、３２０ｂは、端子部材３００ａ、３００ｂを給電端子７２１ａ、７２１ｂと反対側に突出するよう屈曲させて形成される。言い換えると、第２部位３２０ａ、３２０ｂは、端子部材３００ａ、３００ｂを載置部７００側と反対の側に突出するよう屈曲させて形成される。第２部位３２０ａ、３２０ｂは、第２位置に位置する当接部２２０ａ、２２０ｂと対向する部分である。当接部２２０ａ、２２０ｂが第２位置に移動して第２部位３２０ａ、３２０ｂに対向配置されることで、上記規制が解除される。そして、給電端子７２１ａ、７２１ｂは、筐体８００の外部に突出する。
【００４９】
第２部位３２０ａ、３２０ｂは、図７に示すように、当接部２２０ａ、２２０ｂの移動方向に傾斜する傾斜部３２１ａ、３２１ｂを有する。傾斜部３２１ａ、３２１ｂは、第２部位３２０ａ、３２０ｂにおける第１部位３１０ａ、３１０ｂ側に形成され、当接部２２０ａ、２２０ｂが当接可能な領域を有する部分である。傾斜部３２１ａ、３２１ｂに当接した当接部２２０ａ、２２０ｂにより加えられる力Ｆは、分力Ｆ１と分力Ｆ２とに分けられる。当接部２２０ａ、２２０ｂの移動によりコイル部３３０ａ、３３０ｂを支点として給電端子７２１ａ、７２１ｂが回転移動するためには、分力Ｆ１の方向と分力Ｆ２の方向との間にコイル部３３０ａ、３３０ｂの中心があることが必要である。好ましくは、傾斜部３２１ａ、３２１ｂの所定位置を基準として、該所定位置とコイル部３３０ａ、３３０ｂの中心とを結ぶ直線Ｌと分力Ｆ１の方向とのなす角度θが１５度から３０度、特には２０度から２５度になるよう傾斜部３２１ａ、３２１ｂを形成することが好ましい。
【００５０】
第２ケース部材８００Ｂは、規制部材２００における段部２３０ａ、２３０ｂの厚さ方向ＺにおけるＺ２側（図４において下面）に当接して、規制部材２００の移動を支持する本体支持部２３３ａ、２３３ｂを有する。
【００５１】
続けて、図１から図３、図８及び図９により、載置部７００に携帯電話機１を載置した場合における置き台９００の動作について説明する。
【００５２】
まず、図２及び図８に示すように、載置部７００に携帯電話機１が載置されていない状態では、給電端子７２１ａ、７２１ｂは、筐体８００の外部に突出していない。
図８に示すように、第１位置に位置する当接部２２０ａ、２２０ｂは、端子部材３００ａ、３００ｂにおける第１部位３１０ａ、３１０ｂに当接してコイル部３３０ａ、３３０ｂからの付勢力に対抗している。つまり、当接部２２０ａ、２２０ｂは、コイル部３３０ａ、３３０ｂにより給電端子７２１ａ、７２１ｂを外部に突出させる側に加えられる付勢力に対抗して、給電端子７２１ａ、７２１ｂが端子開口７２０ａ、７２０ｂを介して外部に突出することを規制している。このため、給電端子７２１ａ、７２１ｂは、筐体８００の内部側に位置した状態となる。
【００５３】
次いで、図３及び図９に示すように、載置部７００に携帯電話機１が載置されることで、給電端子７２１ａ、７２１ｂが外部に突出する。図２に示すように携帯電話機１における一端側を突出部７３３に当接させると共に、該突出部７３３を筐体８００の内部側（長手方向ＸにおけるＸ１側）に押し込むようにして載置部７００に携帯電話機１を載置することで、給電端子７２１ａ、７２１ｂが外部に突出される。
【００５４】
具体的には、携帯電話機１を上述のように載置することで、図９に示すように、突出部７３３が矢印Ｇ１方向に移動される。突出部７３３が移動されることで、本体部２１０が矢印Ｇ１と平行な矢印Ｇ２Ａ方向にスライド移動される。そして、本体部２１０における突出部７３３側と反対の端部側に形成される当接部２０ａ、２２０ｂは、突出部７３３の移動に連動してＧ１に平行な矢印Ｇ２Ｂ方向に移動される。当接部２２０ａ、２２０ｂは、第１位置から第２位置に移動される。つまり、当接部２２０ａ、２２０ｂは、端子部材３００ａ、３００ｂにおける第１部位３１０ａ、３１０ｂに当接する第１位置から、第２部位３２０ａ、３２０に対向する第２位置に移動される。
【００５５】
当接部２２０ａ、２２０ｂが第２位置に移動することで、該当接部２２０ａ、２２０ｂによる上記規制が解除されるので、給電端子７２１ａ、７２１ｂは、コイル部３３０ａ、３３０ｂによる付勢力により矢印Ｇ３方向に移動される。つまり、給電端子７２１ａ、７２１ｂは、端子開口７２０ａ、７２０ａを介して筐体８００の外部に突出する。ここで、端子部材３００ａ、３００ｂにおける矢印Ｇ３方向への移動を規制する不図示の端子付勢部が配置されるので、給電端子７２１ａ、７２１ｂの外部への突出長さが所定の長さに規制されると共に、第２部位３２０ａ、３２０ｂは当接部２２０ａ、２２０ｂに当接しない位置で保持される。例えば、端子部材３００ａ、３００ｂの長手方向ＸにおけるＸ１側の端部が端子開口７２０ａ、７２０ｂを形成する底面部に当接することで端子部材３００ａ、３００ｂの矢印Ｇ３方向への移動が規制されるように構成してもよい。第２部位３２０ａ、３２０ｂに対向する位置において、当接部２２０ａ、２２０ｂは端子部材３００ａ、３００ｂに当接しない。
【００５６】
続けて、図１に示すように、携帯電話機１における突出部７３３に当接した側と反対側の端部を載置部７００における底面部７１０側に移動させて載置部７００に収容されるようにして携帯電話機１を載置する。このように携帯電話機１を載置することで、端子開口７２０ａ、７２０ｂを介して底面部７１０から突出した給電端子７２１ａ、７２１ｂが、携帯電話機１の端子開口７２０ａ、７２０ｂに対向した位置に配設されている充電端子に当接して、厚さ方向ＺにおけるＸ２側（矢印Ｇ３と反対側）に押し込まれるようにして移動される。ここで、給電端子７２１ａ、７２１ｂにはコイル部３３０ａ、３３０ｂにより携帯電話機１側（矢印Ｇ３側）に付勢されているので、給電端子７２１ａ、７２１ｂは携帯電話機１に形成される充電端子に当接された状態で移動される。そして、所定時間後、置き台９００による充電が開始される。
【００５７】
本実施形態によれば、規制部材２００の平面移動と、平面移動に直交する方向への給電端子７２１ａ、７２１ｂの移動とを組み合わせることで、筐体８００の内部空間における端子部材３００ａ、３００ｂ等の内部部材の移動に必要な空間を少なくしたので、大型化が抑制された置き台９００を提供することができる。特に、本実施形態によれば、薄型化された置き台９００を提供することができる。
【００５８】
また、本実施形態によれば、従来の置き台のように回転機構等の複雑な機構が不要であるので、部品点数を少なくすることができる。これにより、組立負担やコストを低減させることができる。
【００５９】
また、本実施形態によれば、上述の通り複雑な構造を要しないので、故障等が少ない信頼性の高い置き台を提供することができる。
【００６０】
以上、本形態の好適な実施形態について説明したが、本発明は上述した実施形態に限定されることなく種々の形態で実施することができる。本実施形態において、当接部２２０ａ、２２０ｂは、第２部位３２０ａ、３２０ｂに当接しないように構成されるが、これに限定されず、第２部位３２０ａ、３２０ｂに当接するように構成してもよい。この場合、当接部２２０ａ、２２０ｂは、第１部位３１０ａ、３１０ｂにおいて対抗する付勢力よりも弱い付勢力に対抗して第２部位３２０ａ、３２０ｂに当接する。
【００６１】
また、本実施形態において、第１部位３１０ａ、３１０ｂ及び第２部位３２０ａ、３２０ｂが、コイル部３３０ａ、３３０ｂと給電端子７２１ａ、７２１ｂとの間に形成される構成としたが、当該構成に限定されることなく、これら第１部位３１０ａ、３１０ｂ及び第２部位３２０ａ、３２０ｂは、給電端子７２１ａ、７２１ｂよりもコイル部３３０ａ、３３０ｂとは反対側（長手方向ＸにおけるＸ１側）で端子部材３００ａ、３００ｂに形成されてもよく、この場合にも上述した実施形態と同様に、規制部材２００（当接部２２０ａ、２２０ｂ）の平面移動に応じて給電端子７２１ａ、７２１ｂの筐体外部への突出を規制したり許容したりすることができる。
【００６２】
また、本実施形態において、接触端子として給電端子７２１ａ、７２１ｂについて説明しているが、これに限定されず、接触端子が音響信号用の端子であってもよく、また、制御信号用の端子であってもよい。
【００６３】
また、本実施形態において、載置部７００の底面部７１０が水平方向に対して傾いて形成されるが、これに限定されず、図１０に示すように、水平方向に対して平行になるよう形成してもよい。この場合、載置部７００に携帯電話機１を載置することによる規制部材２００の移動が水平方向になるよう構成してもよい。これにより、更に小型化された置き台９００Ａを提供することができる。具体的には、更に薄型化された置き台９００Ａを提供することができる。
【図面の簡単な説明】
【００６４】
【図１】携帯電話機が載置された置き台を説明する図である。
【図２】携帯電話機が載置されていない置き台の斜視図である。
【図３】携帯電話機１が載置される際における置き台を説明する図である。
【図４】置き台の分解斜視図である。
【図５】各種部材が組み込まれた状態における第１ケース部材の裏面側を説明する図である。
【図６】図５における端子部材の配置状態を説明する図である。
【図７】端子部材の形状を説明する図である。
【図８】置き台の動作を説明する図である。
【図９】置き台の動作を説明する図である。
【図１０】置き台における変形形態を説明する図である。
【符号の説明】
【００６５】
１              携帯電話機
２００          規制部材
２２０ａ、ｂ    当接部
３００ａ、ｂ    端子部材
３１０ａ、ｂ    第１部位
３２０ａ、ｂ    第２部位
３３０          コイル部
７００          載置部
７１０          底面部
７２０ａ、ｂ    端子開口
７２１ａ、ｂ    給電端子
７３１          突出部開口
７３３          突出部
９００          置き台
【図１】
0005238920.tif 000002
【図２】
0005238920.tif 000003
【図３】
0005238920.tif 000004
【図４】
0005238920.tif 000005
【図５】
0005238920.tif 000006
【図６】
0005238920.tif 000007
【図７】
0005238920.tif 000008
【図８】
0005238920.tif 000009
【図９】
0005238920.tif 000010
【図１０】
0005238920.tif 000011